(57)【要約】【課題】複数のメモリーバンクを使用している状態から単一のメモリーバンクを使用する状態に切り替える際、映像が乱れる不具合の発生を抑制する。【解決手段】複数のメモリーバンクを有するフレームメモリーを用いて画像信号の書き込みと読み出しとを行う画像処理方法は、複数のメモリーバンクを用いる複数バンクモードと、複数のメモリーバンクのうちの一のメモリーバンクを用いる１バンクモードとの切り替えの指示の入力を受信し、受信された入力が複数バンクモードから１バンクモードへの切り替えの指示である場合、画像信号の書き込みに使用されたメモリーバンクを示す情報と、書き込まれた画像信号により構成される画像の特性を示す情報とを含むバンク情報を出力し、出力されたバンク情報を用いて、一のメモリーバンクから書き込まれた画像信号を読み出す。【選択図】図４
2020150479.tif 000002
【特許請求の範囲】
【請求項１】
複数のメモリーバンクを有するフレームメモリーを用いて画像信号の書き込みと読み出しとを行う画像処理方法であって、
前記複数のメモリーバンクを用いる複数バンクモードと、前記複数のメモリーバンクのうちの一のメモリーバンクを用いる１バンクモードとの切り替えの指示の入力を受信し、
受信された入力が前記複数バンクモードから前記１バンクモードへの切り替えの指示である場合、前記画像信号の書き込みに使用されたメモリーバンクを示す情報と、書き込まれた前記画像信号により構成される画像の特性を示す情報とを含むバンク情報を出力し、
出力された前記バンク情報を用いて、前記一のメモリーバンクから書き込まれた前記画像信号を読み出す、
画像処理方法。
【請求項２】
請求項１に記載の画像処理方法であって、
１フレーム分の画像信号の書き込み、および１フレーム分の画像信号の読み出しを１クロックサイクルの周期で実行し、
前記画像信号の書き込みの開始を指示する信号が出力された後、１クロックサイクルが経過した後に前記画像信号の読み出しを開始する、
画像処理方法。
【請求項３】
請求項１または請求項２に記載の画像処理方法であって、
前記複数バンクモードから前記１バンクモードに切り替えた後、前記複数のメモリーバンクのうちの前記一のメモリーバンクを除く他のメモリーバンクからの前記画像信号の読み出しを禁止する、
画像処理方法。
【請求項４】
画像処理装置であって、
複数のメモリーバンクを有するフレームメモリーと、
前記画像処理装置に入力された画像信号を前記メモリーバンクに書き込む書き込み部と、
書き込まれた前記画像信号を前記メモリーバンクから読み出す読み出し部と、
前記メモリーバンクの使用態様であるバンクモードの切り替えの指示であって、前記複数のメモリーバンクを用いる複数バンクモードと、前記複数のメモリーバンクのうちの一のメモリーバンクを用いる１バンクモードとの切り替えの指示の入力に応じて、前記書き込み部による書き込みと、前記読み出し部による読み出しとを制御するモード管理部と、
を備え、
前記モード管理部は、前記複数バンクモードから前記１バンクモードへの切り替えの指示を受信した場合、
前記書き込み部に、書き込みに使用されたメモリーバンクを示す情報と、書き込まれた前記画像信号により構成される画像の特性を示す情報とを含むバンク情報を出力させ、
前記読み込み部に、出力された前記バンク情報を用いて、書き込まれた前記画像信号を前記一のメモリーバンクから読み出させる、
画像処理装置。
【請求項５】
請求項４に記載の画像処理装置を有する表示装置であって、
光源から射出された光を、前記画像処理装置から出力された前記画像信号に応じて変調させる光変調部と、
前記光変調部で変調された光を拡大して投写する投写光学系と、
を備える、
表示装置。
【請求項６】
請求項５に記載の表示装置であって、
ユーザーからの映像モードの選択を受信するユーザー指示受信部をさらに備え、
前記モード管理部は、前記ユーザー指示受信部が受信した前記映像モードが低遅延モードである場合、前記バンクモードを前記１バンクモードに設定し、前記ユーザー指示受信部が受信した前記映像モードが高画質モードである場合には、前記バンクモードを前記複数バンクモードに設定する、
表示装置。
【発明の詳細な説明】
【技術分野】
【０００１】
本開示は、画像処理方法に関する。
【背景技術】
【０００２】
ゲーム機器等の外部装置から入力される映像信号に画像処理を施して出力する画像処理装置が知られている。画像処理装置は、複数のメモリーバンクを有するフレームメモリーを備え、複数のメモリーバンクを用いて映像信号の書き込み／読み出しを行う。画像処理装置にゲーム機器が接続されてゲーム操作が行われる場合、入力に対する出力の遅延時間が短い、いわゆる低遅延モードがユーザーによって選択されることがある。低遅延モードが選択されると、複数のメモリーバンクを使用している状態から単一のメモリーバンクを使用する状態に切り替えられる。例えば、特許文献１には、低遅延モードが選択された場合に、フレームメモリーへの１フレーム分の映像信号の書き込みの完了を待つことなく、書き込みを開始してから予め定められた時間が経過した後に、フレームメモリーからの読み出しを開始する技術が提案されている。
【先行技術文献】
【特許文献】
【０００３】
【特許文献１】特開２０１２−１８２６７３号公報
【発明の概要】
【発明が解決しようとする課題】
【０００４】
しかしながら、従来の画像処理装置のようにフレームメモリーへの映像信号の書き込みの完了を待たずにフレームメモリーからの読み出しを開始すると、読み出し側において、映像信号により構成される映像の特性を示す情報を参照できないために、適切に映像信号を読み出すことができず、映像が乱れる等の不具合が生じるおそれがある。
【課題を解決するための手段】
【０００５】
本開示の一実施形態によれば、複数のメモリーバンクを有するフレームメモリーを用いて画像信号の書き込みと読み出しとを行う画像処理方法が提供される。この画像処理方法は、前記複数のメモリーバンクを用いる複数バンクモードと、前記複数のメモリーバンクのうちの一のメモリーバンクを用いる１バンクモードとの切り替えの指示の入力を受信し、受信された入力が前記複数バンクモードから前記１バンクモードへの切り替えの指示である場合、前記画像信号の書き込みに使用されたメモリーバンクを示す情報と、書き込まれた前記画像信号により構成される画像の特性を示す情報とを含むバンク情報を出力し、出力された前記バンク情報を用いて、前記一のメモリーバンクから書き込まれた前記画像信号を読み出す。
【図面の簡単な説明】
【０００６】
【図１】本開示の一実施形態としての画像処理装置を備えるプロジェクターの概略構成を示す説明図。
【図２】画像処理装置の具体的な構成を示すブロック図。
【図３】比較例の複数バンクモードから１バンクモードへの切り替え処理における動作例を示すタイミングチャート。
【図４】複数バンクモードから１バンクモードへの切り替え処理の処理手順を示すフローチャート。
【図５】複数バンクモードから１バンクモードへ切り替えられる際の動作例を示すタイミングチャート。
【発明を実施するための形態】
【０００７】
Ａ．実施形態：
Ａ１．プロジェクターの構成：
図１は、本開示の一実施形態としての画像処理装置１２０を備えるプロジェクター１０の概略構成を示す説明図である。プロジェクター１０は、画像供給装置３０から入力される画像信号を用いて、画像を表す画像光を投写して、スクリーンＳＣや、壁などの被投写面上に画像を表示させる。プロジェクター１０では、プロジェクター１０の利用シーンや、投写するコンテンツの種類等に適した表示を実現するために、より高画質な画像を表示するモードや、表示遅延がより少ないモード等、ユーザーが所望する映像モードを設定可能に構成されている。映像モードについては、後述する。
【０００８】
画像供給装置３０は、例えば、コンピューター、ＤＶＤプレーヤー、ゲーム機器等により構成され、ケーブル２０を介してプロジェクター１０に接続されている。画像供給装置３０は、表示画像の形成に用いられる画像信号をプロジェクター１０に送信する。
【０００９】
プロジェクター１０は、入力Ｉ／Ｆ（インターフェイス）１１０と、画像処理装置１２０と、液晶パネル１４０と、液晶パネル駆動部１３０と、照明光学系１４５と、投写レンズ１５２を有する投写光学系１５０と、レンズ駆動部１５４と、ＣＰＵ１６０と、ＲＡＭ１７５と、ＲＯＭ１７０と、リモコン制御部１８０と、撮像部１９０とを備える。プロジェクター１０の各構成要素は、バス１０２を介して互いに接続されている。
【００１０】
入力Ｉ／Ｆ１１０は、画像供給装置３０に接続されるコネクターと、このコネクターに対応するインターフェイス回路とを含んで構成され、画像供給装置から画像信号の供給を受け付ける。入力Ｉ／Ｆ１１０に入力された画像信号は、画像処理装置１２０に出力される。入力Ｉ／Ｆ１１０は、画像供給装置３０と無線通信を行う機能を備えていてもよい。
【００１１】
画像処理装置１２０は、画像処理を実行する種々の機能部を備えている。画像処理装置１２０は、入力Ｉ／Ｆ１１０から出力された画像信号に対して、画像の表示状態（例えば、輝度、コントラスト、同期、トラッキング、色の濃さ、色合い等）の調整等を行い、液晶パネル駆動部１３０へと出力する。画像処理装置１２０の詳細構成については、後述する。
【００１２】
液晶パネル駆動部１３０は、画像処理装置１２０を介して入力された画像信号を用いて、液晶パネル１４０を駆動する。
【００１３】
照明光学系１４５は、光を射出する光源、及び光源から射出された光の照度分布を均一化する均一化光学系等を含む。照明光学系１４５から射出された光は、液晶パネル１４０に入射する。
【００１４】
液晶パネル１４０は、照明光学系１４５から射出された光を、画像データを用いて変調する光変調部である。液晶パネル１４０は、照明光学系１４５から照射された照明光を、画像を表す有効な画像光へと変調するための画像を、液晶パネル１４０に形成する。なお、液晶パネル１４０に代えて、デジタルミラーデバイスなどの他の光変調素子を用いてもよい。
【００１５】
投写光学系１５０は、プロジェクター１０の筐体の前面に取り付けられており、液晶パネル１４０によって画像光へと変調された光を拡大して投写する。レンズ駆動部１５４は、投写光学系１５０が備える投写レンズ１５２を駆動して、スクリーンＳＣ上に表示させる表示画像の大きさを変化させる。液晶パネル１４０、照明光学系１４５及び投写光学系１５０は、画像を投写する投写部を構成する。
【００１６】
リモコン制御部１８０は、ユーザーからのリモコン１８１による指示を受信し、バス１０２を介してその指示をＣＰＵ１６０に送信する。本実施形態では、リモコン制御部１８０は、ユーザーからの映像モードの選択を受信する。「映像モード」とは、プロジェクター１０によって表示される画像の表示態様を変化させるモードであり、本実施形態では、「高画質モード」と「低遅延モード」との２種類のモードが存在する。「高画質モード」とは、画像をより高画質に表示するモードである。「低遅延モード」とは、画像をより少ない遅延量で表示するモードである。ユーザーは、これら２つのモードについて、選択的に設定できる。本実施形態では、予め高画質モードが設定されているものとする。なお、ユーザーからの指示を、操作パネルなどの他の構成を通じて受け取ることとしてもよい。リモコン制御部１８０は、「ユーザー指示受信部」を構成する。
【００１７】
撮像部１９０は、例えば、ＣＣＤカメラを備え、種々の画像を撮像して撮像画像を取得する。撮像部１９０により取得された撮像画像は、ＲＡＭ１７５に格納される。なお、撮像部１９０は、ＣＣＤカメラに代えて、他の撮像可能なデバイスを備えてもよい。
【００１８】
ＣＰＵ１６０は、画像処理装置１２０に映像モードを出力し、各種画像処理を実行させる。
【００１９】
Ａ２．画像処理装置の構成：
図２は、画像処理装置１２０の具体的な構成を示すブロック図である。画像処理装置１２０は、フレームメモリー１２７と、モード管理部１２１と、書き込み部１２２と、読み出し部１２３とを備える。
【００２０】
フレームメモリー１２７は、画像信号を一時的に記憶するメモリーである。フレームメモリー１２７は、例えば、ＤＲＡＭ（Dynamic RAM）、ＳＤＲＡＭ（Synchronous Dynamic RAM）等によって構成される。フレームメモリー１２７は、４つのメモリーバンクｍｂ１〜ｍｂ４を有する。各メモリーバンクｍｂ１〜ｍｂ４は、画像信号の１フレームを書き込み可能な記憶容量を有する。
【００２１】
モード管理部１２１は、画像処理装置１２０全体を制御する。モード管理部１２１は、上述の映像モードに応じて、メモリーバンクｍｂ１〜ｍｂ４の使用態様であるバンクモードを切り替える。本実施形態では、バンクモードとして、複数バンクモードと、１バンクモードとが存在する。「複数バンクモード」は、４つのメモリーバンクｍｂ１〜ｍｂ４のすべてのメモリーバンクを順番に使用して画像信号の書き込み／読み出しを行う態様であり、映像モードが高画質モードである場合に用いられる。これに対して、「１バンクモード」は、４つのメモリーバンクｍｂ１〜ｍｂ４のうちのいずれか一つのメモリーバンクを使用して画像信号の書き込み／読み出しを行う態様であり、映像モードが低遅延モードである場合に用いられる。
【００２２】
モード管理部１２１は、ＣＰＵ１６０から映像モードを受信し、受信された映像モードが高画質モードから低遅延モードへの変更である場合、バンクモードを複数バンクモードから１バンクモードに切り替える。他方、受信された映像モードが低遅延モードから高画質モードへの変更である場合には、バンクモードを１バンクモードから複数バンクモードに切り替える。そして、モード管理部１２１は、切り替え後のバンクモードを書き込み部１２２および読み出し部１２３に通知する。これにより、書き込み部１２２および読み出し部１２３は、バンクモードに応じて画像信号の書き込み／読み出しを行える。
【００２３】
書き込み部１２２は、入力Ｉ／Ｆ１１０から入力された画像信号を１クロックサイクルの周期でメモリーバンクｍｂ１〜ｍｂ４に書き込む。書き込み部１２２は、画像信号の書き込みの開始を指示する書き込み開始信号がモード管理部１２１から入力されると、画像信号を書き込む。書き込み部１２２は、画像信号の書き込みが完了すると、画像信号の書き込みの完了を示す書き込み完了信号をモード管理部１２１に出力する。
【００２４】
また、書き込み部１２２は、モード管理部１２１の指示に応じて、バンク情報を生成する。「バンク情報」とは、書き込みに使用されたメモリーバンクｍｂ１〜ｍｂ４の番号を示す情報と、書き込まれた画像信号により構成される画像の特性を示す情報とを含む情報を意味する。画像の特性を示す情報としては、例えば、画像の圧縮形式や圧縮率を示す情報、平面画像であるか立体画像であるかを示す情報、フレームレートを示す情報等を意味する。本実施形態では、書き込み部１２２は、映像モードが高画質モードから低遅延モードに変更されたとき、すなわち、モード管理部１２１に入力された映像モードが複数バンクモードから１バンクモードへの切り替えの指示であるとき、バンク情報を読み出し部１２３に出力する。
【００２５】
読み出し部１２３は、書き込み部１２２によって書き込まれた画像信号を１クロックサイクルの周期でメモリーバンクｍｂ１〜ｍｂ４から読み出して、液晶パネル駆動部１３０に出力する。このとき、読み出し部１２３は、取得したバンク情報に対応づけられているメモリーバンクｍｂ１〜ｍｂ４を参照して画像信号を読み出し、バンク情報に対応づけられている圧縮形式や圧縮率を用いて、読み出した画像信号を伸長する。読み出し部１２３は、画像信号の読み出しの開始を指示する読み出し開始信号がモード管理部１２１から入力されると、画像信号を読み出す。読み出し部１２３は、画像信号の読み出しが完了すると、画像信号の読み出しの完了を示す読み出し完了信号をモード管理部１２１に出力する。
【００２６】
Ａ３．複数バンクモードから１バンクモードへの切り替え処理：
上述のように、画像処理装置１２０は、プロジェクター１０の映像モードに応じて複数バンクモードと１バンクモードとを切り替えて、画像信号の書き込み／読み出しを行う。
【００２７】
図３は、比較例の複数バンクモードから１バンクモードへの切り替え処理における動作例を示すタイミングチャートである。図３において、縦軸は、最上段から順に、クロック信号、書き込み開始信号、書き込み完了信号、読み出し開始信号、バンク情報に対応づけられているメモリーバンクｍｂ１〜ｍｂ４の番号、バンクモードを示し、横軸は、時間を示している。図３では、書き込み完了信号の出力後にバンク情報を出力する構成での動作例を示している。また、図３に示す例では、時刻ｔ５において、映像モードが高画質モードから低遅延モードに変更されたとものとする。
【００２８】
時刻ｔ１から時刻ｔ５までは、複数バンクモードで画像信号の書き込み／読み出しが行われている。具体的には、時刻ｔ１において、書き込み開始信号が出力されて、第２メモリーバンクｍｂ２への画像信号の書き込みが開始する。その後、読み出し開始信号が出力されて、第２メモリーバンクｍｂ２から画像信号が読み出され、時刻ｔ２において画像信号の書き込みが完了して、書き込み完了信号が出力される。書き込み完了信号の出力後の時刻ｔ３において、バンク情報が出力され、バンク情報が第３メモリーバンクｍｂ３の情報に切り替わる。その後、時刻ｔ４において、書き込み開始信号が出力され、第３メモリーバンクｍｂ３への画像信号の書き込みが開始する。
【００２９】
時刻ｔ５において映像モードが高画質モードから低遅延モードに変更されると、バンクモードが複数バンクモードから１バンクモードに切り替わる。時刻ｔ６において、読み出し開始信号が出力され、画像信号の読み出しが開始される。しかし、時刻ｔ６においては、時刻ｔ４で開始した画像信号の書き込みが完了していないので、バンク情報が出力されていない。その後、時刻ｔ７において書き込み完了信号が出力された後、時刻ｔ８において、バンク情報が出力され、第１メモリーバンクｍｂ１の情報に切り替わる。このため、複数バンクモードから１バンクモードに切り替えたときから所定期間（時刻ｔ５から時刻ｔ８までの期間）経過した後に、１バンクモードでのバンク情報を参照できることになる。
【００３０】
したがって、比較例は、複数バンクモードから１バンクモードへ切り替えた際に、読み出し部１２３がバンク情報を参照できないために、圧縮率を用いた画像信号の伸長や、フレームレートの変換等を適切に行えない。これに対して、本実施形態では、映像モードが高画質モードから低遅延モードに変更されたとの入力を受信すると、バンク情報を出力して、かかるバンク情報を用いて画像信号を読み出す。以下、詳細に説明する。
【００３１】
図４は、本実施形態の複数バンクモードから１バンクモードへの切り替え処理の処理手順を示すフローチャートである。複数バンクモードから１バンクモードへの切り替え処理（以下、「１バンクモードへの切り替え処理」と呼ぶ）は、入力Ｉ／Ｆ１１０から１フレーム分の画像信号を受信すると開始される。１バンクモードへの切り替え処理は、画像信号の１フレームの１／２の時間（例えば、１／１２０秒）で繰り返し実行される。なお、１バンクモードへの切り替え処理の開始時において、書き込み部１２２および読み出し部１２３は、複数バンクモードでの画像信号の書き込み／読み出しを実行しているものとする。
【００３２】
ステップＳ１０５において、モード管理部１２１は、ＣＰＵ１６０から映像モードを受信する。
【００３３】
ステップＳ１１０において、モード管理部１２１は、受信された映像モードが高画質モードから低遅延モードに変更されたか否かを判定する。高画質モードから低遅延モードに変更されていないと判定された場合（ステップＳ１１０：ＮＯ）、高画質モードから低遅延モードに変更されたと判定されるまで、上述のステップＳ１０５およびＳ１１０が実行される。
【００３４】
高画質モードから低遅延モードに変更されたと判定された場合（ステップＳ１１０：ＹＥＳ）、ステップＳ１１５において、モード管理部１２１は、書き込み部１２２にバンク情報を出力させる。具体的には、書き込み部１２２は、１フレーム分の画像信号を書き込んだメモリーバンクｍｂ１〜ｍｂ４の番号、メモリーバンクｍｂ１〜ｍｂ４に書き込んだ画像信号により構成される画像の圧縮形式、および圧縮率をバンク情報とし、読み出し部１２３に送信する。
【００３５】
ステップＳ１２０において、モード管理部１２１は、複数バンクモードから１バンクモードに切り替える。具体的には、モード管理部１２１は、書き込み部１２２および読み出し部１２３に、切り替え後のバンクモードが１バンクモードである旨を通知する。
【００３６】
ステップＳ１２５において、モード管理部１２１は、１バンクモードで使用されるメモリーバンクを除く他のメモリーバンクからの読み出しを禁止する。具体的には、モード管理部１２１は、４つのメモリーバンクｍｂ１〜ｍｂ４のうち、１バンクモードで使用しないメモリーバンクを使用不可状態とする。
【００３７】
ステップＳ１３０において、モード管理部１２１は、書き込み開始信号の出力から１クロックサイクルが経過しているか否かを判定する。具体的には、モード管理部１２１は、書き込み開始信号を出力した時から現在までのクロックサイクルの時間を算出し、算出されたクロックサイクルの時間が１クロックサイクルであるか否かを判定する。書き込み開始信号の出力から１クロックサイクルが経過していないと判定された場合（ステップＳ１３０：ＮＯ）、書き込み開始信号の出力から１クロックサイクルが経過したと判定されるまで、上述のステップＳ１３０が実行される。
【００３８】
書き込み開始信号の出力から１クロックサイクルが経過したと判定された場合（ステップＳ１３０：ＹＥＳ）、ステップＳ１３５において、モード管理部１２１は、読み出し部１２３に読み出し開始信号を出力する。
【００３９】
ステップＳ１４０において、読み出し部１２３は、出力されたバンク情報を用いて画像信号を読み出す。具体的には、読み出し部１２３は、上述のステップＳ１１５において取得したバンク情報を参照し、かかるバンク情報に対応づけられているメモリーバンクｍｂ１〜ｍｂ４の番号に該当するメモリーバンクｍｂ１〜ｍｂ４から画像信号を読み出す。そして、読み出し部１２３は、バンク情報に対応づけられている圧縮形式および圧縮率に応じて、読み出した画像信号の信号データを伸長し、液晶パネル駆動部１３０に出力する。
【００４０】
上述のステップＳ１４０の実行後、１バンクモードへの切り替え処理が終了する。その後、画像処理装置１２０では、映像モードが低遅延モードから高画質モードへ変更されるまで、１バンクモードでの画像信号の書き込み／読み出しが実行される。
【００４１】
図５は、本実施形態の複数バンクモードから１バンクモードへ切り替えられる際の動作例を示すタイミングチャートである。図５において、縦軸は、最上段から順に、クロック信号、書き込み開始信号、読み出し開始信号、バンク情報に対応づけられているメモリーバンクｍｂ１〜ｍｂ４の番号、バンクモードを示し、横軸は、時間を示している。なお、理解の便を図るため、図３とは異なり、図５では、書き込み完了信号の図示を省略している。また、図５に示す例では、時刻ｔ１４において、映像モードが高画質モードから低遅延モードに変更されたとものとする。
【００４２】
時刻ｔ１１から時刻ｔ１４までは、複数バンクモードで画像信号の書き込み／読み出しが行われている。具体的には、時刻ｔ１１において、書き込み開始信号が出力されて、第２メモリーバンクｍｂ２への画像信号の書き込みが開始する。その後、読み出し開始信号が出力されて、第２メモリーバンクｍｂ２から画像信号が読み出される。時刻ｔ１２において、バンク情報が出力され、バンク情報が第３メモリーバンクｍｂ３の情報に切り替わる。その後、時刻ｔ１３において、書き込み開始信号が出力され、第３メモリーバンクｍｂ３への画像信号の書き込みが開始する。
【００４３】
時刻ｔ１４において、上述のステップＳ１１０が実行されて、映像モードが高画質モードから低遅延モードに変更されたと判定されると（ステップＳ１１０：ＹＥＳ）、時刻ｔ１４において、バンク情報が出力され（ステップＳ１１５）、複数バンクモードから１バンクモードに切り替わる（ステップＳ１２０）。時刻ｔ１３における書き込み開始信号の出力から１クロックサイクルが超過した時刻ｔ１５において、読み出し開始信号が出力されて（ステップＳ１３５）、第１メモリーバンクｍｂ１から画像信号が読み出される（ステップＳ１４０）。このとき、上述のように、バンク情報が出力されているので、読み出し部１２３は、かかるバンク情報を用いて、読み出した画像信号の伸長等を適切に行える。
【００４４】
その後、時刻ｔ１６において、書き込み開始信号が出力されて、第１メモリーバンクｍｂ１への画像信号の書き込みが開始される。時刻ｔ１７において、バンク情報が出力される。なお、このとき、１バンクモードでの画像信号の書き込み／読み出しが行われているので、バンク情報は、第１メモリーバンクｍｂ１の情報のまま変更されない。そして、時刻ｔ１６における書き込み開始信号の出力から１クロックサイクルが超過した時刻ｔ１８において、読み出し開始信号が出力されて、第１メモリーバンクｍｂ１から画像信号が読み出される。
【００４５】
以上説明した本実施形態の画像処理装置１２０を備えるプロジェクター１０によれば、複数バンクモードと１バンクモードとの切り替えの指示の入力を受信し、受信された入力が複数バンクモードから１バンクモードへの切り替えの指示である場合、バンク情報を出力し、出力されたバンク情報を用いて、一のメモリーバンクから書き込まれた画像信号を読み出すので、複数バンクモードから１バンクモードに切り替える際、バンク情報を用いて、書き込まれた画像信号により構成される画像の特性に応じて適切に画像信号を読み出すことができる。このため、読み出した画像信号により構成される画像が乱れる等の不具合の発生を抑制でき、ユーザーに画像の乱れを視認されることなく、映像モードを高画質モードから低遅延モードに変更できる。
【００４６】
加えて、画像信号の書き込みの開始を指示する信号が出力された後、１クロックサイクルが経過した後に画像信号の読み出しを開始するので、画像信号の書き込みの開始を示す信号が出力された後１クロックサイクルが超過した後に画像信号の読み出しを開始する構成に比べて、画像信号の読み出しの開始を早めることができる。この結果、入力に対する出力の遅延時間を低減できる。また、複数バンクモードから１バンクモードに切り替えた後、複数のメモリーバンクのうちの一のメモリーバンクを除く他のメモリーバンクからの画像信号の読み出しを禁止するのでメモリーバンクへのアクセスを容易に実行できる。
【００４７】
（１）本開示の一実施形態によれば、複数のメモリーバンクを有するフレームメモリーを用いて画像信号の書き込みと読み出しとを行う画像処理方法が提供される。この画像処理方法は、前記複数のメモリーバンクを用いる複数バンクモードと、前記複数のメモリーバンクのうちの一のメモリーバンクを用いる１バンクモードとの切り替えの指示の入力を受信し、受信された入力が前記複数バンクモードから前記１バンクモードへの切り替えの指示である場合、前記画像信号の書き込みに使用されたメモリーバンクを示す情報と、書き込まれた前記画像信号により構成される画像の特性を示す情報とを含むバンク情報を出力し、出力された前記バンク情報を用いて、前記一のメモリーバンクから書き込まれた前記画像信号を読み出す。
【００４８】
この形態の画像処理方法によれば、複数バンクモードと１バンクモードとの切り替えの指示の入力を受信し、受信された入力が複数バンクモードから１バンクモードへの切り替えの指示である場合、バンク情報を出力し、出力されたバンク情報を用いて、一のメモリーバンクから書き込まれた画像信号を読み出すので、複数バンクモードから１バンクモードに切り替える際、バンク情報を用いて、書き込まれた画像信号により構成される画像の特性に応じて適切に画像信号を読み出すことができる。このため、読み出した画像信号により構成される画像が乱れる等の不具合の発生を抑制できる。
【００４９】
（２）上記形態の画像処理方法において、１フレーム分の画像信号の書き込み、および１フレーム分の画像信号の読み出しを１クロックサイクルの周期で実行し、前記画像信号の書き込みの開始を指示する信号が出力された後、１クロックサイクルが経過した後に前記画像信号の読み出しを開始してもよい。
この形態の画像処理方法によれば、画像信号の書き込みの開始を指示する信号が出力された後、１クロックサイクルが経過した後に画像信号の読み出しを開始するので、画像信号の書き込みの開始を示す信号が出力された後１クロックサイクルが超過した後に画像信号の読み出しを開始する構成に比べて、画像信号の読み出しの開始を早めることができる。この結果、複数バンクモードから１バンクモードへの切り替えにおいて、画像の乱れの発生を抑制できるとともに、入力に対する出力の遅延時間を低減できる。
【００５０】
（３）上記形態の画像処理方法において、前記複数バンクモードから前記１バンクモードに切り替えた後、前記複数のメモリーバンクのうちの前記一のメモリーバンクを除く他のメモリーバンクからの前記画像信号の読み出しを禁止してもよい。
この形態の画像処理方法によれば、複数バンクモードから１バンクモードに切り替えた後、複数のメモリーバンクのうちの一のメモリーバンクを除く他のメモリーバンクからの画像信号の読み出しを禁止するので、メモリーバンクへのアクセスを容易に実行できる。
【００５１】
本開示は、種々の形態で実現することも可能である。例えば、画像処理装置、かかる画像処理装置を備える表示装置、画像処理方法、これらの装置およびこれらの方法を実現するためのコンピュータープログラム、かかるコンピュータープログラムを記録した記録媒体等の形態で実現できる。
【００５２】
Ｂ．他の実施形態：
（１）上記実施形態において、１バンクモードに切り替えた後、書き込み開始信号の出力から１クロックサイクルが経過している場合に画像信号の読み出しが開始されていたが、本開示はこれに限定されない。例えば、画像信号の読み出しは、書き込み開始信号が出力されたクロック周期から１クロックサイクル以上の他の任意のクロックサイクルの数が経過した後に開始されてもよい。また、例えば、画像信号の読み出しは、書き込み開始信号が出力されたクロック周期から期間を空けることなく開始されてもよい。このような構成においても、上記実施形態と同様な効果を奏する。
【００５３】
（２）上記各実施形態において、１バンクモードに切り替えた後、１バンクモードで使用されるメモリーバンクを除く他のメモリーバンクからの読み出しを禁止していたが、１バンクモードにおいて該他のメモリーバンクの読み出しを禁止しなくてもよい。このような構成においても、上記各実施形態と同様な効果を奏する。
【００５４】
上記各実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本開示の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【００５５】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５６】
１０…プロジェクター、３０…画像供給装置、１０２…バス、１１０…入力Ｉ／Ｆ、１２０…画像処理装置、１２１…モード管理部、１２２…書き込み部、１２３…読み出し部、１２７…フレームメモリー、１３０…液晶パネル駆動部、１４０…液晶パネル、１４５…照明光学系、１５０…投写光学系、１５２…投写レンズ、１５４…レンズ駆動部、１６０…ＣＰＵ、１７０…ＲＯＭ、１７５…ＲＡＭ、１８０…リモコン制御部、１８１…リモコン、１９０…撮像部、ＳＣ…スクリーン、ｍｂ１，ｍｂ２，ｍｂ３，ｍｂ４…メモリーバンク、ｔ１，ｔ２，ｔ３，ｔ４，ｔ５，ｔ６，ｔ７，ｔ８，ｔ１１，ｔ１２，ｔ１３，ｔ１４，ｔ１５，ｔ１６，ｔ１７，ｔ１８…時刻
【図１】
2020150479.tif 000003
【図２】
2020150479.tif 000004
【図３】
2020150479.tif 000005
【図４】
2020150479.tif 000006
【図５】
2020150479.tif 000007